(57)【要約】【課題】実際のゴルフ場に持ち込める、パッティング用練習器具の提供。【解決手段】ゴルフのパターＰに脱着自在に装着できるパッティング練習器具１であって、シャフトＳに取付けられ、ヘッドＨ側に向かってレーザー光をライン状に投射するレーザー光投射部３と、グリップＧに取付けられ、レーザー光出射部３を駆動させてレーザー光を投射させる投射ボタン２３を備える。グリップを握ると、投射ボタン２３が押下され、レーザー光投射部３からレーザー光がライン状に投射されて、ラインＬが描かれる。このラインＬはパターのヘッドのフェース面に直交するラインなので、パッティングの基本である、如何に真っ直ぐ曲がらずに遠くまでボールを転がす正確なストロークができているかを、そのラインの状態で視覚的に容易に確認できる。【選択図】  図２
2016104073.tif 000002
【特許請求の範囲】
【請求項１】
ゴルフのパターに脱着自在に装着できるパッティング練習器具であって、
シャフトに取付けられ、ヘッド側に向かってレーザー光をライン状に投射するレーザー光投射部と、グリップに取付けられ、前記レーザー光投射部を駆動させてレーザー光を投射させる投射ボタンを備え、前記グリップを握ると、前記投射ボタンが押下され、前記レーザー光投射部からレーザー光がライン状に投射されてグリーン上でパターのヘッドのフェース面に直交するラインが描かれることを特徴とするパッティング練習器具。
【請求項２】
請求項１に記載したパッティング練習器具において、
レーザー光が緑色光になっていることを特徴とするパッティング練習器具。
【請求項３】
請求項１または２に記載したパッティング練習器具において、
レーザー光投射部は、レーザー光をドット列に変換する回折光学素子を備えており、グリーン上にレーザー光のラインがドット列として描かれることを特徴とするパッティング練習器具である。
【請求項４】
請求項１から３のいずれかに記載したパッティング練習器具において、
レーザー光投射部は、回動可能にシャフトに取付けられており、前記回動によりレーザー光の投射位置を変更することでラインの描く部位をヘッド直下からパッティング先方側の範囲で調整できることを特徴とするパッティング練習器具。
【請求項５】
請求項１から４のいずれかに記載したパッティング練習器具において、
レーザー光投射部と、投射ボタンは、有線接続されており、線の両端側にそれぞれ前記レーザー光投射部と、前記投射ボタンが配されていることを特徴とするパッティング練習器具。
【発明の詳細な説明】
【技術分野】
【０００１】
本発明は、ゴルフのパッティングにおいて、特に真っ直ぐに正確にストロークできるストローク精度を高めるのに利用できるパッティング練習器具に関するものである。
【背景技術】
【０００２】
ゴルフレッスン中に口頭でスイングやストロークの悪い箇所を指摘されただけでは、修正するのは容易ではない。特に、上級者が崩れたスイング等を修正したいような場合はともかく、初心者から平均レベルのプレイヤーのように、理想的なスイング等を全くまたは稀にしか体感できていないような者にとっては、口頭での指摘だけではかなり難しい。
【先行技術文献】
【特許文献】
【０００３】
【特許文献１】実用新案登録第３１１５９７５号公報
【発明の概要】
【発明が解決しようとする課題】
【０００４】
そこで、特許文献１に記載のようなゴルフ練習機が提案されている。このゴルフ練習機は、メインバーをシャフトプレーンに合わせて、プレイヤーの後方に設置しておくので、プレイヤーは自らのスイングの軌道とそのメインバーの同異を視覚的にチェックできるようになっている。
而して、上記したものも含めて、既存のチェック機能を備えたゴルフ練習機の大半は、クラブのスイングに着目したものであり、パターのストロークに着目したものはあまり聞いたことが無い。
【０００５】
これは、パッティングが、ゴルフ場のグリーン（ボールの曲がり方とスピード）の実際の状況に大いに影響されることや、筋力を必要としないこともあって、クラブほどストローク理論も確立されていないことが理由と考えられる。
そのため、既存のパッティング練習機は、グリーンに擬したマットにホールを設けた、単純なものが主流であった。
【０００６】
しかしながら、ゴルフのスコアは、パッティングに大いに影響されることから、パッティングの本格的な練習器具もあって然るべきである。
パッティング技術の習得には、２つの必要な点がある。すなわち、
起伏のあるグリーンのラインを如何に読めるか、と
ヘッドのフェース面を如何に真っ直ぐに正確にボールに当てるかである。
前者は、基本的に経験則であるが、後者は練習器具を上手く利用することで効率よく熟達できる可能性がある。
本発明は上記従来の問題点に着目して為されたものであり、小型で、実際のパターに脱着自在に手軽に装着でき、特にパッティングにおいて最も重視されるボールを真っ直ぐに正確にストロークできる力を高めるのに利用できるパッティング練習器具の提供を、その目的とする。
【課題を解決するための手段】
【０００７】
本発明者は、試行錯誤の結果、パッティングの基本である、如何に真っ直ぐ曲がらずに遠くまでボールを転がす正確なストロークができているかを、パターのヘッドのフェース面に直交するレーザー光のラインを、ストロークで一緒に動く指標ラインとして利用することで、視覚的に容易に確認できることを見出し、本発明を完成するに至った。
本発明の請求項１の発明は、ゴルフのパターに脱着自在に装着できるパッティング練習器具であって、シャフトに取付けられ、ヘッド側に向かってレーザー光をライン状に投射するレーザー光投射部と、グリップに取付けられ、前記レーザー光投射部を駆動させてレーザー光を投射させる投射ボタンを備え、前記グリップを握ると、前記投射ボタンが押下され、前記レーザー光投射部からレーザー光がライン状に投射されてグリーン上でパターのヘッドのフェース面に直交するラインが描かれることを特徴とするパッティング練習器具である。
【０００８】
請求項２の発明は、請求項１に記載したパッティング練習器具において、レーザー光が緑色光になっていることを特徴とするパッティング練習器具である。
【０００９】
請求項３の発明は、請求項１または２に記載したパッティング練習器具において、レーザー光投射部は、レーザー光をドット列に変換する回折光学素子を備えており、グリーン上にレーザー光のラインがドット列として描かれることを特徴とするパッティング練習器具である。
【００１０】
請求項４の発明は、請求項１から３のいずれかに記載したパッティング練習器具において、レーザー光投射部は、回動可能にシャフトに取付けられており、前記回動によりレーザー光の投射位置を変更することでラインの描く部位をヘッド直下からパッティング先方側の範囲で調整できることを特徴とするパッティング練習器具である。
【００１１】
請求項５の発明は、請求項１から４のいずれかに記載したパッティング練習器具において、レーザー光投射部と、投射ボタンは、有線接続されており、線の両端側にそれぞれ前記レーザー光投射部と、前記投射ボタンが配されていることを特徴とするパッティング練習器具である。
【発明の効果】
【００１２】
本発明のパッティング練習器具によれば、小型で、実際のパターに脱着自在に装着できるので、ゴルフ場にもっていき、実際のグリーン上で使用することができる。
また、本発明のパッティング練習器具は、パターのヘッドのフェース面に直交するラインが光として投射され、プレイヤーが素振りをすると、ストロークと一緒にライン光が動くので、ボールを転がす方向のラインそのものをレーザー光のラインがなぞっているかを、レーザー光のラインの照射状態から確認できる。従って、パッティングにおけるストロークの方向を視覚的に容易に確認できる。
【図面の簡単な説明】
【００１３】
【図１】本発明の実施の形態に係るパッティング練習器具の斜視図である。
【図２】図１のパッティング練習器具をパターに取付けた状態を示す斜視図である。
【図３】図２を使用したパターの練習状況の説明図である。
【図４】図３において、グリーン上に描かれるレーザー光の状態の説明図である。
【図５】図３とは異なるパターの練習状況の説明図である。
【図６】別例のレーザー光投射部を示す斜視図である。
【発明を実施するための形態】
【００１４】
本発明の実施の形態に係るパッティング練習器具１を、図面にしたがって説明する。
図１に示すように、このパッティング練習器具１は、レーザー光投射部３を備えている。
このレーザー光投射部３は、縦長箱状の筐体５を備えている。筐体５の下面に出光窓（図示省略）が設けられており、そこからレーザー光が投射されるように構成されている。筐体５の上下方向の中間には段差７が形成されて、上側の箱部より下側の箱部が小さくなっている。
【００１５】
筺体５内には、電源（蓄電池）９と、レーザー駆動回路１１と、レーザー光源１３と、集光・ライン変換レンズ系１５と、回折光学素子１７が備えられており、電源９からの電源供給を受けて、レーザー駆動回路１１が駆動し、レーザー光源１３からレーザー光を出射させる。このレーザー光は、集光・ライン変換レンズ系１５を介してライン状の光、即ちライン光に調整された上で、回折光学素子１７に入射される。回折光学素子１７は、入射面に回折パターンを有しており、この回折パターンによる回折作用により、入射したレーザー光がドット列に変換される。各ドットの大きさは、入射したレーザー光のビームサイズに対応したものとなっている。
【００１６】
符号１９はホルダーを示し、このホルダー１９は正面側に割部が有り、上下方向に開口している。ホルダー１９に筺体５を上側からこのホルダー１９に差し込むと、筺体５の下側部が横側から抱込まれて保持されると共に、筺体５の段差７がホルダー１９の上面に当接するので、脱落が阻止される。
ホルダー１９の背面側には、抱込み面側が円弧状になったクランプ２１が固定されている。このクランプ２１を弾性的に広げて横側の隙間を大きくすると、パターのシャフトを横から差し込めるので、シャフトを通すことなく、横入れでシャフトを抱込み状態で挟持できるようになっている。
ホルダー１９は球軸受を介してクランプ２１に連結されており、回動可能になっている。
【００１７】
上記した構成のレーザー光投射部３に対して、トリガーとして投射ボタン２３が設けられている。
投射ボタン２３の本体は縦長矩形のプレート状のスイッチ片２５になっており、スイッチ基板（図示省略）が取付けられている。スイッチ片２５の下側寄りには、テープ取付け部２７が設けられている。テープ取付け部２７の上部は左右両側で延出して延出部２９、２９となっている。また、延出部２９、２９の間では、表面側に円弧状に膨出して膨出部３１となっている。
符号３３は面ファスナーテープを示し、この面ファスナーテープ３３の一端側がテープ取付け部２７に通されて固定されている。
なお、スイッチ片２５の表面側には、レーザー投射中であることを表示する赤色発光の表示ランプ３５が配置されている。
【００１８】
符号３７はコードを示し、このコード３７内にはリード線が二つ折りされて内包されている。コード３７の一端側はレーザー光投射部３の筐体５内に入り込んでおり、露出したリード線がレーザー駆動回路１１と結線接続されている。他端側は投射ボタン２３のスイッチ基板と結線接続されている。また、投射ボタン２３側には、上記した表示ランプ３５の点灯回路が介挿されている。
この回路構成により、投射ボタン２３のスイッチ片２５の押下により回路が閉じてレーザー駆動回路１１が駆動するようになっている。また、押下により、上記した表示ランプが点灯する。
【００１９】
パッティング練習器具１は、上記したように構成されており、レーザー光投射部３と、投射ボタン２３が、コード３７で繋がった状態となっており、使用しない場合には、コード３７を折り畳むことでコンパクト化でき、携帯し易いものとなっている。
【００２０】
図２は、パッティング練習器具１を実際のパターＰに装着した状態を示す。
レーザー光投射部３側は、筺体５がホルダー１９に保持された状態で、クランプ２１が、パターＰのシャフトＳに取付けられている。
シャフトＳを直立させた状態では、筐体５はホルダー１９によって脱落不能に保持されており、出光窓が下を向いている。レーザー光は、ライン状となっており、その出光窓から下方に向かって投射されるので、ラインＬは、ヘッドＨのフェース面と略垂直となる。
【００２１】
投射ボタン２３側は、面ファスナーテープ３３がコード３７をパターＰのグリップＧに押さえ付けた状態で、巻き廻されてその遊端側がフック・ループ結合で固定されてパターＰのグリップＧに取付けられている。
巻き廻されて表側にきた面ファスナーテープ３３の上縁には延出部２９、２９と膨出部３１が掛かるので、面ファスナーテープ３３からスイッチ片２５が脱落することはない。また、面ファスナーテープ３３の長さと、コード３７の長さは余裕をもって設定されているので、プレイヤーの握り方に合わせてスイッチ片２５をプレイヤーが押し易い位置にもってくることができる。
【００２２】
パッティング練習器具１は、上記したようにパターＰに取付けられて使用されるものであり、レーザー光は、地面側のグリーンに向かって投射される。
投射されたレーザー光は、ライン状のドット列になって、グリーンを照らすことになる。
図２に示すように、レーザー光（Ｌ）は、ヘッドＨを挟んで一定の長さを有したドット列のラインとなっている。
【００２３】
パッティング練習器具１を装着したパターＰを使って、図３に示すように練習する。
即ち、実際のグリーンに持ち込み、パターＰのヘッドＨの脇に仮想ボール（Ｂ）があると想定して、パッティングの素振りを行う。
レーザー光がグリーンに向かって投射されるので、パターのヘッドのフェース面に直交するライン（一点鎖線）がストロークと一緒に動いてグリーン上に描かれることになる。プレイヤーはボールを転がす方向のラインそのものをレーザー光のラインがなぞっているかを、レーザー光のラインの照射状態から確認できる。
【００２４】
従って、ボールを転がす方向のラインと、レーザー光のラインがずれていた場合には、プレイヤーはライン光の照射状態を確認しながら、繰り返しパターＰの素振りをすることで、プレイヤーはパッティングの方向を補正することができる。
【００２５】
図４は、レーザー光がグリーン上を照らす状態を示したものである。
レーザー光を、赤色と緑色に設定し、更に、単純なライン状にした場合と、ドット列にした場合とを、比較して示す。
この図に示すように、赤色よりは緑色の方が、見え易いが、さらに、ドット列にしたことにより格段に見え易くなる。
上記の実施の形態に係るパッティング練習器具１は、緑色タイプであり、しかもドット列状に照射するので、ラインが最も見易いものとなっている。
【００２６】
レーザーは放射線なので国際的に安全基準が厳しく設定されている。そのため、多くのレーザー機器の出力が設定され、日中屋外では見え難くなっている。
これに対して、本発明のパッティング練習器具１では、見え易い緑色を使用し、更に、ドット列状にして見え易くしているので、レーザー光の直進性が生かされた、実用的なものとなっている。
また、レーザー光は、グリップＧを握ったときのみ照射されるようになっており、パッティングではシャフトを極端に横向きにすることはないので、周囲の人にレーザー光が向けられることはなく、安全性も確保されている。
【００２７】
パッティング練習器具１では、レーザー光投射部３のホルダー１９がクランプ２１に対して回動可能になっているので、図５に示すように、回動角度を調整することで、レーザー光のラインをより前方にもってくることができる。
上級者になると、ヘッドＨより離れた先方側でも真っ直ぐに正確にストロークできていることが要求されるが、本発明のパッティング練習器具によれば、レーザー光のラインの位置を変更できるので、初級者から上級者までその技術レベルに対応できる。
【００２８】
図６は、レーザー光投射部４１の別例を示したものである。
この筐体４３にはホルダー機能が一体に備えられている。すなわち、筐体４３の背面側に球体部４５が取付けられている。また、筐体４３は単５電池利用型になっている。
クランプ４７側の凹面部を有する軸受部４９に、球体部４５が外嵌されるので、クランプ４７の抱込み部５１をパターＰのシャフトＳを抱込ませて固定すると、筐体４３側がシャフトＳに対して回動することで、角度が変えられる。
【００２９】
ところで、照射箇所に応じて、赤色でレーザー照射したり、ドット列ではなく連続したライン状にレーザー照射したりする方が見易い場合もある。
このような場合に対応して、レーザー光の種類に応じて複数のレーザーモジュールを用意し、筐体側はアタッチメントを取り付けたものとしておき、利用したいレーザーモジュールを筐体にその都度装着させる構成にすることも考えられる。
【００３０】
以上、本発明の実施の形態について詳述してきたが、具体的構成は、この実施の形態に限られるものではなく、本発明の要旨を逸脱しない範囲における設計の変更などがあっても発明に含まれる。
例えば、レーザー光の照射により描かれるラインの幅や間隔、更に全長は、適宜設定できる。
【符号の説明】
【００３１】
１…パッティング練習器具
３…レーザー光投射部      ５…筐体      ７…段差
９…電源（蓄電池）      １１…レーザー駆動回路      １３…レーザー光源
１５…集光・ライン変換レンズ系      １７…回折光学素子
１９…ホルダー      ２１…クランプ      
２３…投射ボタン      ２５…スイッチ片      ２７…テープ取付け部
２９…延出部      ３１…膨出部      ３３…面ファスナーテープ
３５…表示ランプ
３７…コード
４１…レーザー光投射部（別例）      ４３…筐体      ４５…球体部
４７…クランプ      ４９…軸受部      ５１…抱込み部
Ｐ…パター      Ｇ…グリップ      Ｓ…シャフト      Ｈ…ヘッド
【図１】
2016104073.tif 000003
【図２】
2016104073.tif 000004
【図３】
2016104073.tif 000005
【図４】
2016104073.tif 000006
【図５】
2016104073.tif 000007
【図６】
2016104073.tif 000008